【手続補正書】
【提出日】平成16年11月10日(2004.11.10)
【手続補正１】
【補正対象書類名】特許請求の範囲
【補正対象項目名】全文
【補正方法】変更
【補正の内容】
【特許請求の範囲】
【請求項１】
ベースに装着された支持台の間に装着される一対のガイドに、上下方向にスライディング自在に装着された多数のスタックとスタックの上部に位置されるようにガイドにスライディング自在に装着するプレートからなるウエイトトレーニング器具において、
前記スタック（３１０）は、片側面が凹んでいる煉瓦状で凹んでいる部分の側面の挿入穴（３１１）が形成され、プレート（２１０）の片側端部には内部が空いている長方形の固定装置胴体（１１０）と；固定装置胴体（１１０）の内部に長手方向に沿って多数のリング（１２１）が形成された掛止具（１２０）と；掛止具（１２０）の下部に装着されるスプリング（１２２）と；固定装置胴体（１１０）を貫通するように装着され、片側端部にはボタン（１４０）が形成される多数の固定ピン（１３０）；及びボタン（１４０）と固定装置胴体（１１０）の外側面の間に装着されるスプリング（１５０）からなる固定装置（１００）が、スタック（３１０）の凹んでいる部分に位置するように下方に延長して結合されるように構成するウエイトトレーニング器具の重量調節装置。
【請求項２】
前記固定ピン（１３０）は、その長手方向に沿って両側にガイド突起（１３２）が形成され、いずれか片側方向に掛止突起（１３１）が形成され、ガイド突起（１３２）の端部には掛止部（１３３）が形成され、また固定装置胴体（１１０）は側面に固定ピン（１３０）の側面長手方向に沿って形成されたガイド突起（１３２）に相応するガイドホーム（１１２）が形成され、掛止突起（１３１）に相応するホーム（１１３）が形成される請求項１に記載のウエイトトレーニング器具の重量調節装置。
【請求項３】
前記固定装置（１００）は、固定ピン（１３０）の片側に通常のソレノイド（１５０ａ）が装着され、固定ピン（１３０）の端部とソレノイド（１５０ａ）のプランジャー（１５１）とを互いに結合するように構成される請求項１に記載のウエイトトレーニング器具の重量調節装置。
【請求項４】
前記調節装置は、固定装置（１００）には固定装置胴体（１１０）の片側面に多数の滑車（１６０）が装着され、ワイヤ（１７０）が各ボタン（１４０）の片側端部に締結具（１４１）によって連結され、ワイヤ（１７０）は中央部が空いている胴体（５１０）と；胴体（５１０）を貫通するように装着され、片側端部に取っ手（５４３）が装着され、他の片側端部は直角に折れて、その端部にワイヤ（１７０）が連結される多数の作動バー（５４０）；及び胴体（５１０）の後面部に装着される多数の滑車（５２０）と支持台（５１０）からなる制御装置（５００）に連結されて、固定装置（１００）を作動させる請求項１に記載のウエイトトレーニング器具の重量調節装置。
【請求項５】
片側面が凹んでいる煉瓦状のスタックのそれぞれに挿入穴が形成され、その上方部に長方形の固定装置が設置され、この固定装置内に挿入穴に選択的に挿入されて運動者が希望する重さのスタックを持ち上げられるように固定板が設置される運動器具において、
重量の中心となる底面に長方形の挿入穴（３１１）が形成されるスタック（３１０）と；挿入穴（３１１）と等しい形状の板体からなる固定部（２１１０）が形成され、その裏側の両方にホーム（２１１１）が形成され、その裏側に両端部に傾斜部（２１１３）を有する作動部（２１１２）が形成される固定板（２０００）と；ホーム（２１１１）に挿入される離れ防止板（４５００）が出没するようにするガイド（４６００）を固定装置（１００１）の両側面板（１５００）内にそれぞれ設置し、ホーム（２１１１）に向く離れ防止板（４５００）の上方部に作動部（２１１２）の傾斜部（２１１３）と反対の傾斜部（４５０１）が形成されるようにする一方、反対側にスプリング（４６０２）が内挿入されるハズレ防止装置（４００１）によって、固定板（２０００）がスタック（３１０）の挿入穴（３１１）に挿入されれば、離れ防止板（４５００）が固定板（２０００）の作動部（２１１２）にかかるようにして挿入穴（３１１）から固定板（２０００）が離脱することが防止できるウエイトトレーニング器具の重量調節装置。
【請求項６】
前記離れ防止板（４５００）の傾斜部（４５０１）の反対側面にストッパー（４５０２）が突出形成され、ガイド（４６００）の内側面にストッパーレール（４６０１）を形成し、離れ防止板（４５００）の作動距離が制限されるようにする請求項５に記載のウエイトトレーニング器具の重量調節装置。
【請求項７】
前記スタック（３１０）の挿入穴（３１１）は重さ中心となる底面に長方状からなる請求項１又は請求項５に記載のウエイトトレーニング器具の重量調節装置。
【請求項８】
前記固定ピン（１３０）又は固定板（２０００）は、挿入穴（３１１）と等しい形状の板体からなる請求項１又は請求項５又は請求項７に記載のウエイトトレーニング器具の重量調節装置。
【手続補正２】
【補正対象書類名】明細書
【補正対象項目名】全文
【補正方法】変更
【補正の内容】
【発明の詳細な説明】
【発明の名称】ウエイトトレーニング器具の重量調節装置
【技術分野】
【０００１】
本発明は、ウエイトトレーニング器具の重量調節装置に関するもので、特に、ウエイトトレーニング（Weight  Training）器具の使用者がスタック（Stack）の重量を一層便利に調節することができ、従来器具の重量装置であるスタックの穴に固定ピンを挿入する時に発生する不便を解消することができ、運動時にスタックから固定ピンがすり抜けることを防止することで安全事故を事前に防止し、使用者が運動重量を微細に調整して運動することができ、使用者が遠隔電気制御でプログラム化して運動する動機をもたらし、従来固定ピンのため多かったデザイン上の制約を受けないようにするウエイトトレーニング器具の重量調節装置に関する。
【背景技術】
【０００２】
ウエイトトレーニング器具は、取っ手付のワイヤに複数のスタックのうち、運動者が希望する数量（重量）のスタックを連結し、取っ手を引っ張ってスタックを持ち上げるようにすることで、筋肉を鍛える器具である。
【０００３】
従来のウエイトトレーニングは、図１及び図２に示したようにベース１ａを有する支持台１の上部に滑車２が装着され、プレート４が連結されたワイヤ３が滑車２に絡められ、プレート４には多数の穴が形成された固定棒５がその中央の下部に装着される。前記支持台１の中央部には一対のガイド６が立てられてプレート４がガイド６に沿って上下に移動自在に装着され、ガイド６には固定棒５が挿入可能な穴が形成された多数のスタック７が上下に作動可能に装着され、スタック７の側面には固定棒５の穴と対応する穴がそれぞれ形成される。
【０００４】
このような従来の器具は、プレート４の下部に装着された固定棒５が垂直でスタック７の中央部に形成された穴を通じて挿入され、固定具８を希望する重量が固定棒５に結合されるように、いずれかのスタック７に形成された穴を通じて挿入して、スタック７と固定棒５を結合させることで重量調節を可能にした。
【０００５】
身体の筋肉部位別に運動するようにする２０余種のウエイトトレーニング器具は、前記のような重量調節装置を共通的に装着しており、前記装置は、それを装着した場合各器具の種類別特性によって複雑な機械構造を有し、以下のような不具合と制約的な要素を有していた。
【０００６】
I）重量調節時に、器具の機械構造に沿って身を曲げて左側または右側に動いて“固定具”に近付いて固定具を分離させ、重さを選択して再度挿入しなければならず、この場合固定具に近付くこと自体が不便であり、固定具に接近後選択されるスタックの“小さな穴”を捜して固定具を更に挿入することは、非常に不便で難しいという問題点がある。特に、体の調子が悪いリハビリ治療者が補助者の助けなしに重量を調節するということは非常に大変で難しかった。
【０００７】
II）現在ローディング（loading）された重量を確認するためには、前記I）項目のような姿勢を取らなければならないという不具合もあった。
【０００８】
III）ロッキング装置がない既存の固定具は、運動途中スタックから離脱するおそれもあったが、この場合取っ手が無負荷の状態になって椅子から後へ落ちたり、重い取っ手が頭または顔を打つなど、多様な形態の事故が発生することもあった。
【０００９】
IV）運動時に、一つの固定重量だけでは運動をすることに退屈さを感じることになり、より良い運動効果が期待し難いという問題点もあった。
【００１０】
V）重量調節装置部分を必ず開放構造にしなければならないので、スタック部分にカバーを装着する場合、デザイン上の多くの制約を有するという問題点もあった。
【００１１】
VI）又、スタックは固定ピンが挿入されなければならない構造となっていて、その厚さがおよそ３ｃｍ位必要であり、これによりスタック一つの重量が５ｋｇ単位となって、運動重量を５ｋｇ単位で高めたり減らさなければならないという問題点もあった。このような問題点は自分に適した運動重量が５−１０ｋｇ間の場合５または１０ｋｇを無理して持ち上げられなければならないという不具合があった。
【発明の開示】
【００１２】
本発明は前記の問題点を解決するために案出されたものであって、その目的はスタックの重量把握と調節を容易にし、固定装置を通じてスタックと固定棒との結合状態を安定に維持できるようにすることで事故を予防し、負荷量の自動調節機能が可能で各種多様なプログラムを内蔵することができるため、使用者の興味を誘発して運動の動機を誘発することができ、体の不自由な人又はリハビリ治療者などのように補助者の助けを得て運動をしなければならない使用者が一層便利に使うことができ、より洗練されたデザインが可能で、運動重量を微細に調整することができるウエイトトレーニング器具の重量調節装置を提供するものである。
【００１３】
本発明は前記のような目的を果たすために、
ａ）ベースに装着された支持台の間に装着される一対のガイドに、上下方向にスライディング自在に装着された多数のスタックと、スタックの上部に位置するようにガイドにスライディング自在に装着されるプレート及びプレートの下部に装着される多数の穴が形成された固定棒からなるウエイトトレーニング器具において、前記スタックは、片側面が凹んでいる煉瓦形状で、凹んでいる部分の側面に挿入穴が形成され、プレートは片側端部にスタックの凹んでいる部分に位置するガイドが形成され、ガイドは片側面に長手方向に沿って多数の止めホームが形成され、ガイドには中央に側面上に貫通するように収容室を有する胴体と；胴体の収容室に装着されるスプリングと；スプリングによって支持され、片側端部に取っ手を有する固定ピンと；胴体の側面上に形成される穴にボールとボールの片側に装着されるスプリング及びスプリングの離脱を防止するムードボルトで構成される位置決定手段からなる固定装置が結合されて構成されることを特徴とする。
【００１４】
ｂ）ベースに装着された支持台の間に装着される一対のガイドに、上下方向にスライディング自在に装着された多数のスタックと、スタックの上部に位置するようにガイドにスライディング自在に装着されるプレートからなるウエイトトレーニング器具において、前記スタックは、片側面が凹んでいるように煉瓦状に形成される一方、凹んでいる部分の側面に挿入穴が形成され、プレート２は片側端部には内部が空いている長方形の固定装置胴体と；固定装置胴体の内部に長手方向に沿って多数のリングが形成された掛止具と；掛止具の下部に装着されるスプリングと；固定装置胴体を貫通するように装着されて、片側端部にはボタンが形成される多数の固定ピン；及びボタンと固定装置胴体の外側面の間に装着されるスプリングからなる固定装置がスタックの凹んでいる部分に位置するように下方に延長結合して構成されることを特徴とする。
【００１５】
ｃ）片側面が凹んでいる煉瓦状のスタックのそれぞれに挿入穴が形成され、その上方部に長方形の固定装置が設置される一方、この固定装置内に挿入穴に選択的に挿入されて運動者が希望する重さのスタックを持ち上げられるように固定板が設置される運動器具において、前記固定板の両側面にプッシュピンと、掛止ピンとが直交するように設置し、プッシュピンに近接するように押し板を有する回転棒が設置され、この回転棒の下部の先に最下のスタックの底面に位置する支持棒を設け、固定板がスタックの挿入穴からすり抜けると、スタック全体の重量荷重がかかるようにする安全装置と；掛止ピンに近接される固定装置の前面板に上、下部リング、によって掛止ピンが協同で掛止部に固定されても、上、下部リング板が設置されても、上部リングと下部リングが１：２の動作距離を有するようにシーソ部を有するハズレ防止装置からなることを特徴とする。
【００１６】
ｄ）片側面が凹んでいる煉瓦状のスタックのそれぞれに挿入穴が形成され、その上方部に長方形の固定装置が設置され、この固定装置内に挿入穴に選択的に挿入されて運動者が希望する重さのスタックを持ち上げられるように固定板が設置される運動器具において、重量の中心になる底面に長方形に挿入穴が形成されるスタックと；挿入穴と等しい形状の板体からなる固定部が形成され、その裏側の両方にホームが形成され、その裏側の両端部に傾斜部を有する作動部が形成される固定板と；ホームに挿入される離れ防止板が出没するようにするガイドを固定装置の両側面板内にそれぞれ設置し、ホームを向いた離れ防止板の上方部に作動部の傾斜部と反対の傾斜部が形成されるようにする一方、反対側にスプリングが内挿入されるハズレ防止装置によって、固定板がスタックの挿入穴に挿入されれば、離れ防止板が固定板の作動部に掛けるようにして、挿入穴から固定板が離脱することを防止できることを特徴とする。
【００１７】
ｅ）スタックが挟まれて上下に移動可能に装着されるガイドはベースの上部に支持固定され、ベースの上部とガイドの上部はフレームによって固定され、ガイドに重量調節のための多数のスタックが上下にスライディング自在に装着されたウエイトトレーニング器具において、フレームの内部片側面にはセンサーが装着され；スタックの上部にワイヤが繋がる固定具を有する電磁石が一定の間隔を維持した状態で上、下にスライディング自在にガイドに結合し；電磁石は電源供給のために電源入力線によって電流の強度を調整するパワー調節機及びパワー調節機を制御する一方、警告などのメッセージとスタックの重量、そして運動回数などを表示するディスプレー部を有する制御機が繋がるように構成されることを特徴とする。
【００１８】
ｆ）ウエイトトレーニング器具の重量調節方法において、装置に電源が供給された状態で制御機を通じて電源が供給されるかどうかをチェックする段階と；電源がｏｆｆ状態か、電磁石に電源が印加されない時、充電しながら電源が印加されないことを知らせる段階と；電源が正常に印加された場合にスタックの負荷を調整する段階と；電磁石に電源が印加されるかどうかを確認する段階と；電磁石に電源が正常に印加されると、使用者が設定した負荷値と電磁石によって附着したスタックの重量値とを比較する段階と；測定値が設定値より低い場合、電磁石の磁力の強度を高める磁性アップ段階と；測定値が設定値より高い場合、電磁石の磁力の強度を低める磁性ダウン段階と；設定値と測定値が一致する場合、磁性を固定する段階；及び使用準備が完了したことを知らせる段階とからなることを特徴とする。
【発明を実施するための最良の形態】
【００１９】
本発明を図面に基づいて具体的に説明する。
【００２０】
図３及び図４には本発明による重量調節装置を有するウエイトトレーニング器具が示され、該器具は支持台が装着されるベース４１０の上部に二つのガイド４２０が決まった間隔を維持しながら一直線に垂直に設けられ、ガイド４２０にはプレート２１０が上下に移動可能に装着される。
【００２１】
プレート２１０の中央下部には一定の間隔を維持する多段階の挿入穴２１ｂを有する固定棒２１ａが装着され、プレート２１０の下部片側端部には一対のガイド２３が下を向くように装着される。ベース４１０の上部に装着されたガイド４２０には多数のスタック３１０が装着され、スタック３１０は片側面が凹んでいる煉瓦状で両側端部にガイド４２０が貫通可能にベアリング３１２が装着され、中央部には固定棒２１ａが貫通することができる穴が形成され、またスタック３１０の凹んでいる部分の側面には、以下説明される固定装置１０の固定ピン１３を挿入することができる挿入穴３１１が形成される。
【００２２】
プレート２１０の片側端部に装着されたガイド２３はスタック３１０の凹んでいる部分に位置され、ガイド２３の片側面には長手方向に沿って挿入穴３１１と相応する位置に多数の止めホーム２３ａが形成される。ガイド２３には以下説明する固定装置１０が装着される。固定装置１０は図５及び図７に示したように両側端部にガイド２３に沿って上、下にスライディング自在に取り付け、ガイド２３の止めホーム２３ａの位置に固定装置１０が止まるようにガイド２３が貫通する固定装置胴体１１の位置に側面上に形成された穴にボール１５が装着され、図６に示したようにボール１５をガイド２３の側面に密着できるようにボール１５の片側スプリング１６が装着され、スプリング１６が抜けないようにムードボルト１７が結合される。
【００２３】
このような構成によって固定装置１０は、ガイド２３に形成された止めホーム２３ａとボール１５がかみ合うようになって停止することができる。そして固定装置胴体１１の中央には、側面上に貫通するようにスプリング１４が装着され、スプリング１４によって支持される固定ピン１３がスタック３１０の側面に形成された挿入穴３１１を貫通して固定棒２１ａの側面に形成された挿入穴２１ｂに挟止されるように装着され、固定ピン１３の片側面には取っ手１２が装着される。このようにガイド２３に装着される固定装置１０は、固定ピン１３と結合した取っ手１２を引っ張ると、スプリング１４が圧縮しながら固定ピン１３が前記固定棒２１ａの側面に形成された挿入穴２１ｂとスタック３１０の側面に形成された挿入穴３１１から離脱する。
【００２４】
このような状態で使用者は固定装置１００を上、下に動かして希望する重量のスタック３１０が固定棒２１ａに噛み合うように位置を変動させた後に取っ手１２を離すと、固定ピン１３がスプリング１４の弾性力によってスタック３１０の挿入穴３１１と固定棒２１ａの挿入穴２１ｂを貫通して結合する。固定装置１０を上、下に動かす時、固定装置胴体１１に装着されたボール１５がガイド２３の側面に形成された止めホーム２３ａとかみ合いながら固定装置１０が止まる位置を正確に決めることができるようになる。
【００２５】
このような固定装置は、使用者が重量調節装置の現場で直接手動で操作できるように構成されているため、希望するスタックを固定棒に容易に装着することができる。
【００２６】
図８及び図９には遠距離から使用者が調整装置１０を操作できるようにする制御装置５０を装着してなることが図示されている。
【００２７】
制御装置５０は多数のワイヤ５０ａ、５０ｃを固定装置胴体５１と取っ手１２に連結して遠距離でも固定装置１０の位置を変化させることができる。前記ガイド４２０に装着されたプレート２１０にワイヤ５０ａが垂直に作動するように装着する。そして、固定装置胴体１１には取っ手１２を覆うようにケース１８が結合され、ワイヤ５０ａ、５０ｃがそれぞれケース１８の上部と取っ手１２に繋がる。そして、ワイヤ５０ａ、５０ｃは制御装置５０に連結され、制御装置５０は次のような構造を有する。
【００２８】
制御装置５０は胴体５１の前面に長手方向に沿ってスロット形状のガイド穴５１ａが形成され、ガイド穴５１ａの両側で固定装置１０が装着されるガイド２３に形成された止めホーム２３ａと相応する間隔で多数の止めホーム５１ｂが形成される。図１１に示したようにガイド穴５１ａにはフランジ形状を有するスライダー５２が装着され、スライダー５２の片側端部には固定装置１０を上、下にスライディング可能とするワイヤ５０ａが連結される。そしてスライダー５２の中央部は貫通する穴が形成され、片側端部に取っ手５４が装着された作動棒５３が挿入されるように装着し、作動棒５３の他の片側端部には固定装置１０の取っ手１２に連結されたワイヤ５０ｃが繋がれる。
【００２９】
制御装置５０の前面部と触れ合うスライダー５２の端部には固定装置１０に位置決めのために装着された止め手段（ボールとスプリングなど）と同様に穴が形成され、ボール５２ａとこのボール５２ａを止め穴５１ｂに密着させるようにスプリングが装着され、ムードボルト５２ｃに固定される。このように構成される制御装置５０によって固定装置は上、下にスライディング自在となり、制御装置５０の取っ手５４を引っ張ると、ワイヤ５０ｃが引かれながら、固定装置１０の取っ手１２を引っ張ることになる。その後、制御装置５０の取っ手５４を上部または下部方向に動かすと、反対に固定装置１０は上部に連結されたワイヤ５０ａによって下部又は上部の方向に動くようになる。
【００３０】
このような構成を通じて制御装置５０を使用者が運動する距離と近接するように設置し、使用者が運動の途中でスタックの重さを調節するために動かずともすぐにスタックの重さを調節することができるようになる。
【００３１】
制御装置５０と異なるもう一つの制御手段として図１２と図１３にはソレノイド７０を利用した制御手段が図示されている。このような制御手段はプレート２１０の片側にモーター６１が装着される。モーター６１の軸には減速機６１ｂが設置され、この減速機６１ｂには棒状で外周面にギアが形成されるギア棒６１ａの上端部が結合され、下端部はプレート２１０を貫く一方、固定装置１０の胴体１１を貫通し、胴体１１内の内接ギア６２ｂにギア結合される一方、胴体１１を貫通してその端部にはストッパー６１ｃが形成される。
【００３２】
プレート２１０を貫通するギア棒６１ａの外周面にはベアリング６２ａが設置され、固定装置１０の胴体１１を貫くギア棒６１ａの外周面には内接ギア６２ｂがギア結合される。そして固定装置１０の取っ手１２の片側には電磁石を利用したソレノイド７０が装着され、ソレノイド７０のプランジャー７１に取っ手１２を結合してソレノイド７０が作動する時にプランジャー７１が後方に押されて取っ手１２が引かれるようになる。モーター６１とソレノイド７０は電子回路が装着された制御パネル（Ｃ）に電気的に接続して制御パネル(Ｃ)の信号によって作動する。即ち、使用者が制御パネル(Ｃ)を通じてスタック３１０の重量を選択すれば、ソレノイド７０が作動して取っ手１２を引いて固定ピン１３を固定棒２１ａとスタック３１０から分離し、その後モーター６１が回転して減速機６１ｂによってギア棒６１ａが回転すると同時に、固定装置１０の胴体１１内の内接ギア６２ａによって固定装置１０の胴体１１がギア棒６１ａに沿って上昇、下降すると同時に固定装置１０の位置決めとなり、固定装置１０の片側に備えられるセンサー(ＭＳ)が各スタック３１０に備えられるセンサー（Ｓ１、Ｓ２、Ｓ３、Ｓ４、Ｓ５、Ｓ６）を感知して位置を決めるようになる。その後再びソレノイド７０の作動が解除され、固定ピン１３はスタック３１０の穴３１１を貫いて固定棒２１ａの穴２１ｂに挟まれるようになる。
【００３３】
図１４及び図１５には本発明による他の実施例の重量調節装置を有するウエイトトレーニング器具が示されている。プレート２１０の下部片側端部には多数の固定ピン１３０を有する固定装置１００が下方を向くように装着される。
【００３４】
ベース４１０の上部に装着されたガイド４２０には多数のスタック３１０が装着され、スタック３１０は片側面が凹んでいる煉瓦状で両側端部にガイド４２０が貫通できるようにベアリングが装着され、スタック３１０の凹んでいる部分の側面には固定装置１００の固定ピン１３０が挿入できる挿入穴３１１が形成される。
【００３５】
プレート２１０の片側端部に装着される固定装置１００はスタック３１０の凹んでいる部分に位置される。固定装置１００は図１６に示したように内部が空いている長方形の固定装置胴体１１０からなり、内部には長手方向に沿って多数のリング１２１が形成された掛止具１２０が装着される。掛止具１２０は下部または上部にスプリング１２２が装着され、上部または下部方向へスプリングの弾性力によって支持されて上、下に動いて固定ピン１３０とかみ合うことになる。
【００３６】
そして固定装置胴体１１０の前方から後方に多数の固定ピン１３０が貫通されるように装着され、固定ピン１４０の片側端部にはボタン１４０が形成されて、ボタン１４０と固定装置胴体１１０の外側面との間にはスプリング１５０が装着されて固定ピン１３０を支持するようになる。固定ピン１３０は図１７に示したようにその長手方向に沿って両側にガイド突起１３２が形成され、掛止具１２０のリング１２１とかみ合うように、いずれか片側方向に掛止突起１３１が形成される。そしてガイド突起１３２の端部には掛止部１３３が形成されて固定装置胴体１１０に挿入されるように装着された状態で、固定装置胴体１１０とボタン１４０との間に装着されるスプリング１５０の弾性力によって固定装置胴体１１０から離脱しないように働く。
【００３７】
固定ピン１３０が貫通するように挿入されて装着される固定装置胴体１１０の側面には固定ピン１３０の側面長手方向に沿って形成されたガイド突起１３２と相応するガイドホーム１１２が形成され、また掛止突起１３１と相応するホーム１１３が形成される。このような構造の固定装置１００を通じて使用者は希望する重量のスタック３１０が固定ピン１３０とかみ合うように選択されたいずれか一つの固定ピン１３０のボタン１４０を押して固定ピン１３０が押し込まれてスタック３１０の挿入穴３１１に挿入され、この時前記固定ピン１３０の掛止突起１３１が前記掛止具１２０のリング１２１にかみ合って固定されるようになる。
【００３８】
そして、使用者が他の重量を選択するために、他のボタン１４０を押すと、他のボタン１４０の掛止突起１３１が前記掛止具１２０のリング１２１を下方へ押し前記掛止具１２０が下方に押され、以前リング１２１に固定された固定ピン１３０の掛止突起１３１が解かれると同時にスプリング１２２が上方に作動して他の固定ピン１３０の掛止突起１３１がリング１２１とかみ合って固定ピン１３０が固定される。
【００３９】
このような固定装置１００は手動ではなく自動によって作動するようにするため、図１８に示したように固定ピン１３０の片側にソレノイド１５０が装着され、固定ピン１３０の端部とソレノイド１５０のプランジャー１５１とが互いに結合される。固定装置１００に装着されるソレノイド１５０は電子回路が装着された制御装置に連結されて、使用者が希望する重量を選択すれば、それに相応するソレノイド１５０が作動してプランジャー１５１が固定ピン１３０を固定装置１００の固定装置胴体１１０の内部に押し込んで固定ピン１３０の掛止突起１３１が前記掛止具１２０のリング１２１にかかるようにする。
【００４０】
また固定装置１００を遠距離から手動で作動させるための一つの手段は、図２１に示したように制御装置５００を通じて動作可能である。制御装置５００が固定装置１００との連動のために固定装置１００の固定装置胴体１１０の片側面固定ピン１３０と接した位置に、滑車１６０をそれぞれ装着してワイヤ１７０をそれぞれのボタン１４０の片側端部に連結して滑車１６０に絡められて制御装置５００に繋がる。
【００４１】
ボタン１４０に連結されるワイヤ１７０の端部には図２０に示したように締結具１４１が結合されてワイヤ１７０を固定する。制御装置５００は固定装置１００と類似した構造を有する。即ち、制御装置５００の胴体５１０の前面部から後面部に多数の作動バー５４０が貫通するように装着される。作動バー５４０は片側端部に取っ手５４３が装着され、他の片側端部は直角に折れてその端部にワイヤ１７０が連結され、胴体５１０の後面部には前記作動バー５４０と隣接した位置に多数の滑車５２０と支持台５１０がそれぞれ装着され、作動バー５４０に連結されたワイヤ１７０が制御装置胴体５１０と垂直になるようにして滑車５２０で巻取ることになる。そして作動バー５４０の端部に連結されるワイヤ１７０の端部は図２２に示したように締結具５４１によって固定される。
【００４２】
このように構成された制御装置５００によって固定装置１００が作動する。即ち、制御装置５００に装着された取っ手５４３を押せば作動バー５４０が押し込まれてワイヤ１７０を引っ張ることになり、ワイヤ１７０は前記作動バー５４０に相応する固定装置１００のボタン１４０を引っ張ることになって固定ピン１３０が押されてスタック３１０の挿入穴３１１に挿入される。この時固定装置１００の固定ピン１３０に形成された掛止突起１３１が掛止具１２０のリング１２１と噛み合って固定される。このような作動によって使用者は選択したい固定装置１００の固定ピン１３０を作動させ、すぐスタック３１０に連結させるため希望するスタック３１０の重量を調節することができるようになる。
【００４３】
図２４及び図２５には本発明によるウエイトトレーニング器具のスタック固定板の安全及びハズレ防止装置が示されており、スタック３１０の前面中央に設置される固定装置１０００内に安全装置３０００とハズレ防止装置４０００が設置される。
【００４４】
ベース４１０の上部には一対のガイド４２０が一直線に装着され、ガイド４２０にはプレート２１０が上下にスライディング自在に装着される。プレート２１０の下部には多数の固定板２０００を有する固定装置１０００が装着される。ベース４１０の上部に装着されたガイド４２０には多数のスタック３１０が装着され、スタック３１０は片側面が凹んでいる煉瓦状で両側端部にガイド４２０が貫通できるようにベアリングが装着され、スタック３１０の凹んでいる部分の側面には以下で説明する固定装置１０００の固定板２０００を挿入することができる挿入穴３１１が形成される。
【００４５】
スタック３１０は、図２７ａ及び図２８ａに示したように重量中心となる所に長方形の挿入穴３１１が形成される。挿入穴３１１は両方の側面と、前面及び上部面がスタック３１０そのものによって塞がっている状態となり、入口になる面と下部面が開放された状態となる。
【００４６】
固定装置１０００は、スタック３１０の凹んでいる部分に位置し、図２５および図２６に示したように前面板１１００、後面板１２００、側面板１５００、上部板１３００及び下部板１４００によって長方形の胴体に形成される。
【００４７】
前記前面板１１００と後面板１２００のそれぞれの垂直中心線には等しい高さ及び間隔を維持する穴１１０１、１２０１が形成される。前面板１１００の穴１１０１は固定板２０００が通過できるように横に長い長方形となり、後面板１２００の穴１２０１は固定板２０００の押しピン２００１が通過するように円型からなっている。前面板１１００の上部は前記プレート２１０を貫通し、貫通したプレート２１０の上部に位置する部分はホール１１０３を有するワイヤ固定部１１０２となって、ホール１１０３にワイヤ２２０が装着される。
【００４８】
固定板２０００は図２６及び図２７ａに示したように厚さを有する方形の板体となり、上方部が前面板１１００に形成された穴１１０１に挿入された状態で位置し、裏側の両側面にそれぞれプッシュピン２００４と掛止ピン２００５が直交するように取り付ける。そして裏側面の真中には長さの長い押しピン２００１の一端部が固定され、この押しピン２００１は後面板１２００の穴１２０１を通過して外部に露出した状態となり、露出された端部にはボタン２００２が装着され、ボタン２００２と、後面板１２００との間にはスプリング２００３が設置される。即ち、固定板２０００はボタン２００２を押すことによりスタック３１０の挿入穴３１１に挿入され、挿入穴３１１に挿入される時、プッシュピン２００４は安全装置３０００の押し板３１０１を押すことになり、掛止ピン２００５は図３０に示したようなハズレ防止装置４０００の上、下部リング４１０１、４２０１との間に挿入された状態で位置する。
【００４９】
安全装置３０００は前記のように固定板２０００がスタック３１０の挿入穴３１１に挿入された状態からすり抜けると、スタック３１０の全体重量の荷重がかかるようにすることで、固定装置１０００の上、下部板１３００、１４００に垂直に設置される回転棒３１００と、固定装置１０００の下部に位置するようになる支持棒３１０６からなる。
【００５０】
下部板１４００には図２９に示したように垂直に貫通穴１４０１が形成される一方、その片側に挿入孔１４０２が形成される。回転棒３１００は下部に挿入軸３１０２が同一中心を成しながら連続して形成され、この挿入軸３１０２が前記貫通穴１４０１を貫通して外部へ突き出すことになり、外部へ突き出す挿入軸３１０２は支持棒３１０６の穴３１０７を貫通してナット３１０８によって固定される。
【００５１】
挿入軸３１０２には掛止端部３１０４と挿入端部３１０５がそれぞれの方向を成すようになるスプリング３１０３が設置され、掛止端部３１０４は押し板３１０１の内側面に位置し、挿入端部３１０５は下部板１４００の挿入孔１４０２に挿入される。即ち、固定板２０００のプッシュピン２００４が押し板３１０１を押すようになれば、回転棒３１００はその距離ほど回転し、支持棒３１０６がスタック３１０の底面下部から離脱し、固定板２０００がスタック３１０の挿入穴３１１からすり抜けることになると、スプリング３１０３の弾性によって元々の状態に復元して支持棒３１０６がスタック３１０の底面下部に位置するようにすることで、全体重量がかかるようにして、運動者は固定板２０００が抜けた無防備状態で運動を遂行することによる事故をあらかじめ防止できる。
【００５２】
ハズレ防止装置４０００は、固定板２０００がスタック３１０の挿入穴３１１に挿入状態からすり抜けないようにすることで、図３０に示したように上部リング４１０１を有する上部リング板４１００と、下部リング４２０１を有する下部リング板４２００が一定の間隔を維持しながら重なって形成され、上部リング４１０１と下部リング４２０１を連結する板の上部にはシーソ４３００が形成され、上部リング４１０１の最下部に位置する作動板４１０３は、図３１に示したように下部板１４００に立設するスタンド４１０５を貫通して設置される。作動板４１０３は穴４１０４が形成されて下部板１４００に設置された固定リング４１０７に下部が掛止になるスプリング４１０６の上部が掛止になる。
【００５３】
そして上、下部リング板４１００、４２００には図３２に示したようにトラック形状の作動穴４１０２、４２０２がそれぞれ形成され、互いに対して行き違うように形成され、その間に“＋”字形状のスペーサ４４００が位置し、スペーサ４４００を貫通するボルト４４０１によって固定される。従って、上部リング板４１００と下部リング板４２００はスペーサ４４００によって作動距離が制限され、スプリング４１０６によって弾力的に動作する。前記において、上部リング４１０１は掛止ピン２００５の、前、後面及び上部をカバーした状態で掛止するようにし、下部リング４２０１は掛止ピン２００５の下部を支えて上、下部リング４１０１、４２０１が協同する状態で掛止ピン２００５を掛止させる。
【００５４】
このように構成される固定装置１０００は図２４ないし図２６のような状態でスタック３１０中、運動者が希望する重量のスタック３１０に当たるボタン２００２を押した後に運動することによって、ａ）ボタン２００２を押せば押しピン２００１によって図２７ｂに示したように固定板２０００の上方部がスタック３１０の挿入穴３１１に挿入され、固定板２０００は図２７ｂ及び図２８ａに示したように挿入穴３１１の前面、両方面及び上部面に対して干渉されることなく挿入可能である。
【００５５】
ｂ）又、運動者が運動をすると、固定板２０００は図２８ｂに示したように挿入穴３１１の上部面に面接した状態で希望する重量のスタック３１０を持ち上げ、持ち上げた後に再度下ろす時には固定板２０００の希望する重量のスタック３１０は下部のスタック３１０の上部面に接しないことによって、固定板２０００には衝撃が伝達されない。
【００５６】
ｃ）前記ａ）項目のような状態では固定板２０００のプッシュピン２００４が図２７ｂに示したように安全装置３０００の押し板３１０１を押すようになり、回転棒３１００の挿入軸３１０２に結合された支持棒３１０６が最下部に位置するスタック３１０の底面から離脱した状態になり、運動者が希望する重量のスタック３１０を持ち上げることができるようになる。
【００５７】
ｄ）もし固定板２０００が挿入穴３１１からすり抜けるようになれば、回転棒３１００はスプリング３１０３の弾性によって元々の状態に復元され、支持棒３１０６が最下部に位置するスタック３１０の底面に位置することで、運動者がこのような事実が分からずに運動を遂行してもスタック３１０全体の重量を持ち上げて瞬間的に運動を中止できる。
【００５８】
ｅ）前記ａ）項目及びｃ）項目のような状態で固定板２０００の掛止ピン２００５はハズレ防止装置４０００の上部リング４１０１を押しながら入り込み、この時、上部リング４１０１は、上部へ押されるようになって掛止ピン２００５が上、下部リング４１０１、４２０１の間である掛止部４１４２に入って位置する。
【００５９】
ｆ）前記ｅ）項目で上部リング４１０１が上部から押されてシーソ４３００の片側（上部リング４１０１の連結板に連結された部分）が上部に移動し、これによって下部リング４２０１の連結板と連結した部分が下部に移動し、上、下部リング板４１００、４２００が互いに対して上、下に行き違うように動作し、下部リング４２０１は上部リング４１０１に対して２倍ほどの距離を移動する。
ｇ）前記ｆ）項目において、上部リング４１０１は１にあたる距離を移動してから元々の位置に復帰することになると、下部リング４２０１は２にあたる距離を移動してから元々の位置に復帰し、他の重量のスタック３１０が必要となって固定板２０００をそのスタック３１０の挿入穴３１１に挿入することで先に入っていた固定板２０００の掛止ピン２００５がここに当たる上、下部リング４１０１、４２０１からより円滑にすり抜ける。
【００６０】
ｈ）従って、運動者が希望するスタック３１０への選択時には、事故の危険要素がなくなるが、運動時、スタック３１０の挿入穴３１１に入っていた固定板２０００がすり抜けると、安全装置３０００によってスタック３１０全体重量に荷重がかかることになり、それ以前に固定板２０００の掛止ピン２００５が上、下部リング４１０１、４２０１の協同によって更に安定した状態で保持されることで固定板２０００が自然的に離脱することを防止する。図面のうち、未説明符号４４０２はワッシャーを示したものである。
【００６１】
図３４及び図３５には本発明によるウエイトトレーニング器具の重量調節装置が示されており、スタック３１０の前面中央に取り付けられ固定装置１００１内にハズレ防止装置４０００が設置される。
【００６２】
スタック３１０の凹んでいる部分の側面には以下で説明する固定装置１００１の固定板２０００を挿入することができる挿入穴３１１が形成される。
【００６３】
スタック３１０は、図３６ａ及び図２８ａに示したように重量の中心になる個所に方形の挿入穴３１１が形成される。前記挿入穴３１１は両方の側面と、前面及び上部面がスタック３１０そのものによって支えられた状態となり、入口面と下部面は開放された状態になる。
【００６４】
固定装置１００１は、前記スタック３１０の凹んでいる部分に位置し、図３５及び図３６ａに示したように前面板１１００、後面板１２００、側面板１５００、上部板１３００及び下部板１４００によって長方形の胴体で形成される。
【００６５】
前面板１１００と後面板１２００それぞれの垂直中心線には等しい高さ及び間隔を維持する穴１１０１、１２０１が形成される。前面板１１００の穴１１０１は固定板２０００が通過できるように横に長方形となり、後面板１２００の穴１２０１は固定板２０００の押しピン２００１が通過できるように円型を成して形成される。前面板１１００の上部はプレート２１０を貫通し、貫通されたプレート２１０の上部に位置する部分はホール１１０３を有するワイヤ固定部１１０２になってホール１１０３にワイヤ２２０が装着される。
【００６６】
固定板２０００は図３５及び図３６ａに示したように厚さを有する長方形の板体に形成され、上方部の固定部２１００が前記前面板１１００に形成された穴１１０１に挿入された状態で位置し、裏側の作動部２１１２の両側面にそれぞれ傾斜部２１１２が形成される。また、固定部２１００と作動部２１１２の間にはホーム２１１１が両方へ形成される。
【００６７】
更に説明すれば、固定板２０００は方形の板体で形成し、上方部には固定部２１００が、中央の両方には方形のホーム２１１１が、後側には両方に傾斜部２１１３を有する作動部２１１２が形成される。前記作動部２１１２の傾斜部２１１３はスタック３１０の挿入穴３１１の方向に徐々に広くなる勾配を成す。
【００６８】
そして作動部２１１２の後側面の真中には押しピン２００１の一端部が固定され、この押しピン２００１は後面板１２００の穴１２０１を通過して外部に露出した状態となり、露出した端部にはボタン２００２が装着され、ボタン２００２と、後面板１２００との間にはスプリング２００３が設置される。即ち、固定板２０００は、ボタン２００２を押すことによってスタック３１０の挿入穴３１１に挿入し、挿入穴３１１に挿入される時作動部２１１２の両方の傾斜部２１１３がハズレ防止装置４００１の離れ防止板４５００を開けるようにすると同時に、開けた後には更に離れ防止板４５００が前記作動部２１１２の片側面に位置するようにすることで、固定板２０００が挿入穴３１１から離脱することを防止する。
【００６９】
ハズレ防止装置４００１は、図３５及び図３６ａに示したように固定装置１００１の両方側面板１５００の内側面にそれぞれ向き合うように取り付け、離れ防止板４５００と、ガイド４６００からなる。
【００７０】
離れ防止板４５００は片側面に傾斜部４５０１が形成され、それぞれに近接する作動部２１１２の傾斜部２１１３と反対の勾配を有することになり、反対側面にはストッパー４５０２が形成される。即ち、離れ防止板４５００は前記固定板２０００のホーム２１１１を向けると共にこのホーム２１１１のような幅を持って形成され、上、下部板１３００、１４００の間に位置する高さを有する。
【００７１】
ガイド４６００は、片側面が前記側面板１５００それぞれに固定され、反対側面が開放される筒体に形成され、入口側の内側面に前記離れ防止板４５００のストッパー４５０２を挿入することができるストッパーレール４６０１が形成される。そして側面板１５００に固定する部分と、離れ防止板４５００の間にはスプリング４６０２が設置される。従って、離れ防止板４５００はストッパー４５０２がガイド４６００のストッパーレール４６０１に結合されることで出没する距離が制限される一方、出没する動作において揺れることがなくなる。
【００７２】
このように構成される本発明は、図３４及び図３５に示したような状態でスタック３１０の中で運動者が希望する重さのスタック３１０に当たるボタン２００２を押した後、運動をすることで、図３６ａに示したようにそれぞれの離れ防止板４５００が固定板２０００のホーム２１１１に位置した状態で、ボタン２００２を押せば、押しピン２００１によって図３６ｃに示したように固定板２０００の固定部２１００がスタック３１０の挿入穴３１１に挿入され、固定板２０００は離れ防止板４５００によって固定された状態を維持し、固定板２０００がスタック３１０の挿入穴３１１から離脱することを防止できる。
【００７３】
固定板２０００の固定部２１００は図３６ａ及び図２８ａに示したように挿入穴３１１の前面、両方面及び上部面に対して干渉されることなく挿入され、引き続き運動者が運動すると、固定部２１００は図２８ｂに示したように挿入穴３１１の上部面に面接した状態で希望する重さのスタック３１０を持ち上げ、持ち上げた後、更に下ろす時には固定部２１００は希望する重さのスタック３１０の下部のスタック３１０の上部面に接しないことによって、固定板２０００には衝撃が伝達されなくなる。
【００７４】
前記において固定板２０００はａ）図３６ａに示したような状態、即ち、離れ防止板４５００が固定板２０００のホーム２１１１に位置した状態で、ｂ）ボタン２００２を押すようになれば、図３６ｂに示したように作動部２１１２によって離れ防止板４５００が両方へ拡大され、離れ防止板４５００の傾斜部４５０１によって漸次的に拡大されると同時にガイド４６００の内部に挿入される。
【００７５】
ｃ）また、図３６ｃに示したように固定板２０００の固定部２１００がスタック３１０の挿入穴３１１に挿入されると同時に、ガイド４６００の内部に挿入されていた離れ防止板４６０１はスプリング４６０２の弾性によって元の位置に復元され、作動部２１１２の片側面に面接した状態で位置することで固定板２０００が挿入穴３１１からすり抜けることを防止できる。
【００７６】
ｄ）又、他の重さのスタック３１０によるボタン２００２を押すと、他の重量による固定板２０００は前記ｂ）項目及びｃ）項目と同様に、スタック３１０の挿入穴３１１にあった固定板２０００は他の重量の固定板２０００が離れ防止板４５００を開けることで、すり抜けることになる。
【００７７】
ｅ）従って、運動者が希望するスタック３１０への選択時には事故の危険要素がなくなるが、ハズレ防止装置４０００の離れ防止板により、固定板２０００がより安定した状態で位置することで固定板２０００が自然にすり抜けることを防止する。
【００７８】
図３７ないし図３９を参照して本発明によるウエイトトレーニング器具の重量調節装置に対する構成を説明する。
【００７９】
まず、従来のウエイトトレーニング器具と同じくスタック５１５０が挟まれて上、下に移動可能に装着されるガイド５１４０がベース５１３０の上部に支持されて固定され、ベース５１３０の下部とガイド５１４０の上部はフレーム５１１０によって固定される。そして、フレーム５１１０の内側には以下で説明する電磁石５１６０ａに印加される電源の漏電事故と電磁石５１６０ａの作動によって発生する電磁気場が外部に漏出されることを防止するためにアイソレーター５１２０を附着する。そして、フレーム５１１０の内部片側面にはスタック５１５０の位置を感知するために縦方向にセンサー５１８０が装着される。
【００８０】
ガイド５１４０には前記したようにスタック５１５０が装着され、スタック５１５０の上部にはワイヤ５１７０が繋がる固定具５１６１を有する電磁石５１６０ａが一定の間隔を維持する状態で装着され、電磁石５１６０ａはワイヤ５１７０によって上部へ引っ張られるように結合される。ここでワイヤ５１７０を引く取っ手部分は本発明による装置をより明確に説明するために省略し、省略された取っ手部分は従来のウエイトトレーニング器具と等しい。
【００８１】
電磁石５１６０ａは、電源入力部５３１０によって電源を供給され、電源入力部５３１０によって電磁石５１６０ａの磁力の強度を調節する（言い換えれば、電磁石に入力される電流の強度を調節する）パワー調節機５２１０に繋がれる。パワー調節機５２１０はスタック５１５０のパワー調節機５２１０を制御し、一方では警告などのメッセージとスタックの重量及び運動回数などを表示するディスプレイ部（図面符号未表示）を有する制御機５２２０に連結される。また、電源が停電などの原因によって遮られた場合、事故の予防のために一時的に電源を供給するために充電器５２３０が制御機５２２０に連結される。
【００８２】
前記実施例では電磁石５１６０ａに磁力を発生させるための電源を供給するために、電源入力部５３１０が電磁石５１６０ａに直接繋がる構造を有しているが、図５に示したように電源入力部５３１０がガイド５１４０に連結されて電源はガイド５１４０を通じて電磁石５１６０ｂに供給するように構成することもできる。即ち、電磁石５１６０ｂは接触方式で電源供給を受ける。言い換えれば、接触方式で電気供給する場合には、電車のような原理を利用して電磁石５１６０ｂ内部にブラシを装着し、ブラシを通じて電磁石５１６０ｂがガイド５１４０に付いて上、下に移動する途中にも電気が供給される。
【００８３】
このような構成を有する重量調節装置は、図４０に示したような方法を通じて重量が制御される。最初段階５４１０では装置に電源が供給される状態で制御機５２２０を通じて電源が供給されるかどうかの可否をチェックするようになる。このように電源が正常に印加されるかどうかをチェックする理由としては、本発明は電磁石５１６０ａ、５１６０ｂを利用してスタック５１５０を設定された重量に相当する個数で持ち上げるので、電源が正常に印加されるかの可否が事故の発生を決定するからである。
【００８４】
前記段階５４１０でもし電源がｏｆｆ状態であれば、充電器を通じて充電をしながら、同時に制御機５２２０のディスプレイ部を通じて電源が印加されないことを知らせる。このような充電によって使用途中に電源が停電などの原因によって遮られる場合にも充電器を通じて一時的に電源を供給することができるため事故を予防することができる。
【００８５】
前記段階５４１０で電源が正常に印加されれば、次の段階５４２０で使用者は制御機５２２０を通じて運動しようとする重さでスタック５１５０の負荷を調整する。このように使用者によって設定された重さに対する値はパワー調節機５２１０を通じて必要な電流の強度に供給され、このような電流の強度を通じて電磁石５１６０ａ、５１６０ｂの磁力が調節されるので、これに相応するスタック５１５０の量が電磁石５１６０ａ、５１６０ｂに附着するようになる。
【００８６】
前記段階５４２０によって負荷が調整されれば、次の段階５４３０では電磁石に電源が印加されるかどうかの可否をもう一度チェックする。このように電磁石に電源が正常に印加されるかどうかの可否をチェックすることも、前記したように事故を予防するためである。
【００８７】
前記段階５４３０で電磁石に電源が印加されなかったら、充電及び警告段階５４２０に進んで異常作動を使用者に知らせ、電源が正常に印加されれば、使用者が設定した負荷値と電磁石５１６０ａ、５１６０ｂによって上げられるスタック５１５０の重量値とを比較することになる。
【００８８】
前記設定負荷値と実質的に電磁石に附着するスタックの重量値は、センサー５１８０によって確認される。即ち、電磁石の磁力によって一定数のスタック５１５０が電磁石に附着すれば、電磁石がスタックと一定の間隔で離れているため附着しないスタックとの間隔が発生する。このような間隔の位置をセンサー５１８０が感知して電磁石に附着したスタックの重量を確認することができ、このように確認されたスタックの重量を設定負荷値と比べることになる。
【００８９】
このように測定されたスタックの重量値が設定値より低い場合には、磁性アップ段階５４６０に進んでパワー調節機５２１０を通じて供給される電流の強度を補償して磁力を補強して更に負荷値を比べる。
【００９０】
そして、測定されたスタックの重量値が設定値より高い場合には、磁性ダウン段階５４７０に進んでパワー調節機５２１０を通じて供給される電流の強度と磁力を補強して更に負荷値を比べる。
【００９１】
このような過程を通じて設定値と測定値が一致する場合には、磁性固定段階５４８０へ進行して制御機５２２０を通じて供給される電流の強度を一定になるように維持し、また次の段階５４９０へ進行して制御機５２２０のディスプレイ部を通じて使用者に準備が完了した状態を知らせるようになる。このような過程を通じて使用者はリアルタイムでスタックの重量を調節することができ、最適な運動環境を維持することができる。
【００９２】
そしてスタック５１５０の厚さは５ｍｍ以下でも可能とし、その重さも１ｋｇ単位で区切ることができ、運動者も自分に適した重さを微細に調節しながら運動を遂行することができる。
【産業上の利用可能性】
【００９３】
以上、説明した通り、本発明によれば次のような効果がある。
【００９４】
スタックの遠隔重量調整が可能で、重量把握と調節が容易になる。固定装置を通じてスタックと固定棒の結合状態が安定に維持されて事故が予防される。負荷量の自動調節機能により多様なプログラムを内蔵することができ、運動者の興味を誘発して運動の動機を付与することができるようになる。
【００９５】
又、体の不自由な人又はリハビリ治療者などのように、補助者から助けてもらわないと運動できない使用者が一層便利に使うことができる。より洗練されたデザインが可能であり、微細な遠隔調整も可能であり、またリアルタイムで重量の把握が可能となる。
【図面の簡単な説明】
【００９６】
【図１】従来器具の部分切開した側面図である。
【図２】従来器具の部分切開した正面図である。
【図３】本発明による器具の正面図である。
【図４】本発明による重量調節装置が装着された器具の部分切開側断面図である。
【図５ａ】本発明による重量調節装置が装着された器具の部分切開平断面図である。
【図５ｂ】図５ａのスタックを詳しく示した斜視図である。
【図６】本発明による位置決定手段を現わした断面図である。
【図７】本発明による固定棒がスタックから分離された状態を現わす図面である。
【図８】本発明による重量調節装置を遠隔で調整するための手段を備えた他の実施例を現わす図面である。
【図９】図８に示したコントロールパネルの構造を現わすための側断面図である。
【図１０】本発明による位置決定手段を示した断面図である。
【図１１】本発明によるコントロールパネルの正面図である。
【図１２】本発明による重量調節装置を遠隔から調整するための他の手段が結合された更に他の実施例を現わす側面図である。
【図１３】図１２に示した重量調節装置の正面図である。
【図１４】本発明によるまた他の実施例の器具の側面図である。
【図１５】本発明による器具の正面図である。
【図１６】本発明による器具の構造を示した側断面図である。
【図１７】本発明によるボタンの斜視図である。
【図１８】本発明による固定ピンが自動で作動するようにソレノイドを装着した他の実施例を示した図面である。
【図１９】本発明による重量調節装置を遠隔調整するための手段を備えた他の実施例を示した図面である。
【図２０】図１９に示したワイヤの締結状態を示した部分拡大図である。
【図２１】本発明による制御装置の構造を示した切開した側断面図である。
【図２２】図２１に示したワイヤの締結状態を示した部分拡大図である。
【図２３】図２１に示したワイヤの連結状態を示した滑車の部分拡大図である。
【図２４】本発明の更に他の実施例の正面図である。
【図２５】本発明による固定装置の内部構造を示した断面図である。
【図２６】本発明の側断面図である。
【図２７ａ】本発明による固定装置の平断面図である。
【図２７ｂ】本発明による固定板の作動状態図である。
【図２８ａ】は本発明による固定板がスタックの挿入穴に挿入している状態図である。
【図２８ｂ】図２８ａのスタックを詳しく示した斜視図である。
【図２９】図２５の“Ｚ”部詳細分解斜視図である。
【図３０】本発明によるハズレ防止装置の斜視図である。
【図３１】図２５の“Ｙ”部詳細図である。
【図３２】本発明によるハズレ防止装置の主要部断面図である。
【図３３】本発明によるハズレ防止装置の作動状態図である。
【図３４】本発明によるまた他の実施例の正面図である。
【図３５】本発明の側断面図である。
【図３６ａ】作動前の状態を示す本発明による固定装置の平断面図である。
【図３６ｂ】作動中の状態を示す本発明による固定装置の平断面図である。
【図３６ｃ】スタックの挿入穴に挿入した状態を示す本発明による固定装置の平断面図である。
【図３７】本発明によるまた他の実施例の全体構成図である。
【図３８】図３の線“Ａ−Ａ”に沿って切開した状態の平断面図である。
【図３９】本発明による器具の他の実施例の全体構成面である。
【図４０】本発明による器具のフローチャートである。
【符号の説明】
【００９７】
１０  固定装置
１３  固定ピン
２１ａ  固定棒
５０  制御装置
５２  スライダー
６１  モーター
６１ａ  ギア棒
６１ｂ  減速機
７０  ソレノイド
２１０  プレート
３１０  スタック
３１１  挿入穴
【手続補正３】
【補正対象書類名】図面
【補正対象項目名】全図
【補正方法】変更
【補正の内容】
【図１】
2005519722.tif 000001
【図２】
2005519722.tif 000002
【図３】
2005519722.tif 000003
【図４】
2005519722.tif 000004
【図５ａ】
2005519722.tif 000005
【図５ｂ】
2005519722.tif 000006
【図６】
2005519722.tif 000007
【図７】
2005519722.tif 000008
【図８】
2005519722.tif 000009
【図９】
2005519722.tif 000010
【図１０】
2005519722.tif 000011
【図１１】
2005519722.tif 000012
【図１２】
2005519722.tif 000013
【図１３】
2005519722.tif 000014
【図１４】
2005519722.tif 000015
【図１５】
2005519722.tif 000016
【図１６】
2005519722.tif 000017
【図１７】
2005519722.tif 000018
【図１８】
2005519722.tif 000019
【図１９】
2005519722.tif 000020
【図２０】
2005519722.tif 000021
【図２１】
2005519722.tif 000022
【図２２】
2005519722.tif 000023
【図２３】
2005519722.tif 000024
【図２４】
2005519722.tif 000025
【図２５】
2005519722.tif 000026
【図２６】
2005519722.tif 000027
【図２７ａ】
2005519722.tif 000028
【図２７ｂ】
2005519722.tif 000029
【図２８ａ】
2005519722.tif 000030
【図２８ｂ】
2005519722.tif 000031
【図２９】
2005519722.tif 000032
【図３０】
2005519722.tif 000033
【図３１】
2005519722.tif 000034
【図３２】
2005519722.tif 000035
【図３３】
2005519722.tif 000036
【図３４】
2005519722.tif 000037
【図３５】
2005519722.tif 000038
【図３６ａ】
2005519722.tif 000039
【図３６ｂ】
2005519722.tif 000040
【図３６ｃ】
2005519722.tif 000041
【図３７】
2005519722.tif 000042
【図３８】
2005519722.tif 000043
【図３９】
2005519722.tif 000044
【図４０】
2005519722.tif 000045